(57)【要約】      （修正有）【課題】使用者が上方に座ることで、自身の重量で前立腺が圧迫され、前立腺のマッサージの目的を達することができる前立腺マッサージ器を提供する。【解決手段】マッサージ本体１０と、台座２０と、軟質カバー部材３０とからなる。マッサージ本体１０は、台座２０の上に固定され、マッサージ本体１０の頂端には凸ブロック１１が設けられ、軟質カバー部材３０は開口３１及び透孔３２を備え、軟質カバー部材３０はマッサージ本体１０の外周にはめ込まれ、開口３１はマッサージ本体１０の底部に対応して結合され、透孔３２は、凸ブロック１１に対応して結合される。【選択図】図１
0003210038.tif 000002
【実用新案登録請求の範囲】
【請求項１】
マッサージ本体と、台座と、軟質カバー部材とからなる、前立腺マッサージ器であって、
前記マッサージ本体は、前記台座の上に固定され、前記マッサージ本体の頂端には凸ブロックが設けられ、前記軟質カバー部材は、開口と透孔を備え、前記軟質カバー部材は、前記マッサージ本体の外周にはめ込まれ、前記開口は、前記マッサージ本体の底部に対応して結合され、前記透孔は前記凸ブロックに対応して結合されることを特徴とする、前立腺マッサージ器。
【請求項２】
前記マッサージ本体は、若干球体状を呈することを特徴とする、請求項１に記載の前立腺マッサージ器。
【請求項３】
前記マッサージ本体の硬度は、前記軟質カバー部材の硬度より硬いことを特徴とする、請求項２に記載の前立腺マッサージ器。
【請求項４】
前記マッサージ本体の材質は、プラスチック及び金属材質の内の一つから選択されることを特徴とする、請求項３に記載の前立腺マッサージ器。
【請求項５】
前記軟質カバー部材は若干球体状を呈することを特徴とする、請求項１に記載の前立腺マッサージ器。
【請求項６】
前記軟質カバー部材の材質は軟質のゴムから選択されることを特徴とする、請求項５に記載の前立腺マッサージ器。
【請求項７】
前記台座は、若干円盤状を呈することを特徴とする、請求項１に記載の前立腺マッサージ器。
【請求項８】
前記台座の材質は、プラスチック或いは金属の内一つから選択されることを特徴とする、請求項７に記載の前立腺マッサージ器。
【考案の詳細な説明】
【技術分野】
【０００１】
本考案は前立腺マッサージ器に関し、特に使用者が上方に座ることで、自身の重量で前立腺が圧迫され、前立腺のマッサージの目的を達することができる前立腺マッサージ器に関する。
【背景技術】
【０００２】
近年、老人の人口が増加するにつれ、各種健康維持の方法（フィットネス、健康教学推進、ストレッチ・パッティング、指圧マッサージ等）も非常に流行している。これらの健康維持の方法は、血液の循環を促進する以外に、老化によって生じる各種の病気や痛みを予防することができ、また、血液循環不良によって生じる鬱血や悪血を体から排出し、新しい血に入れ替え、安全に病気の予防と健康の維持する治療効果がある。
【０００３】
しかしながら、６０歳前後の年齢が比較的高めの男性は、男性ホルモンの分泌に不調をきたし、前立腺功能が異常になることが多い。さらには、血液循環不良により、前立腺が膨張して大きくなり鬱血が生じ、尿道や射精管が圧迫され、軽い症状だと、小便の排出が難しくなり、重い症状だと、尿失禁や小便をコントロールできなくなり、生活に大きな支障をきたすことになる。
【考案の概要】
【考案が解決しようとする課題】
【０００４】
本考案は、使用者が上方に座ることで、自身の重量で前立腺が圧迫され、前立腺のマッサージの目的を達することができる前立腺マッサージ器を提供することを目的とする。
【課題を解決するための手段】
【０００５】
上述の目的を達成するために、本考案による前立腺マッサージ器は、マッサージ本体と、台座と、軟質カバー部材とからなる。前記マッサージ本体は、前記台座の上に固定され、前記マッサージ本体の頂端には凸ブロックが設けられ、前記軟質カバー部材は開口及び透孔を備え、前記軟質カバー部材は前記マッサージ本体の外周にはめ込まれ、前記開口は前記マッサージ本体の底部に対応して結合され、前記透孔は、前記凸ブロックに対応して結合される。      
【０００６】
上記前立腺マッサージ器の内、前記マッサージ本体は若干球体状を呈する。
【０００７】
上記前立腺マッサージ器の内、前記マッサージ本体の硬度は前記軟質カバー部材の硬度より硬い。
【０００８】
上記前立腺マッサージ器の内、前記マッサージ本体の材質は、プラスチック及び金属材質の内の一つから選択される。
【０００９】
上記前立腺マッサージ器の内、前記軟質カバー部材は若干球体状を呈する。
【００１０】
上記前立腺マッサージ器の内、前記軟質カバー部材の材質は、軟質のゴムから選択される。
【図面の簡単な説明】
【００１１】
【図１】本考案の立体構造分解図である。
【図２】本考案の立体構造組合図である。
【図３】本考案の構造断面図である。
【図４】本考案のマッサージ本体と軟質カバー部材のサイズを示した図である
【図５】本考案の使用状態図である。
【考案を実施するための形態】
【００１２】
図１から図５を参照する。本考案の前立腺マッサージ器１は、マッサージ本体１０と、台座２０と、軟質カバー部材３０とからなる。マッサージ本体１０は、台座２０の上に固定され、マッサージ本体１０頂端中央には、凸ブロック１１が設けられ、マッサージ本体１０は若干球体状を呈する。軟質カバー部材３０は、若干球体状を呈し、前記軟質カバー部材の底部は開口３１を備える。前記軟質カバー部材の上端は透孔３２を備え、前記軟質カバー部材３０は、前記マッサージ本体１０外圍にはめ込まれる。それにより、前記開口３１は、前記マッサージ本体１０の底部に対応して結合する。前記透孔３２は前記凸ブロック１１に対応して結合する。その内、前記マッサージ本体１０の硬度は、前記軟質カバー部材３０の硬度より硬く、前記マッサージ本体１０の材質は、プラスチック及び金属材質の内のいずれか一つから選択される。また、前記軟質カバー部材３０の材質は、軟質のゴムから選択される。以上の構造により、使用者が前立腺マッサージ器上方に座ると、自身の重さによって前立腺が圧迫され、前立腺をマッサージする目的を達成することができる。
【００１３】
図４を参照する。図４は、本考案のマッサージ本体及び軟質カバー部材のサイズを示した図である。前記マッサージ本体１０の外側は前記軟質カバー部材３０に結合される。前記軟質カバー部材３０は、コム材質が使われており弾性があって且つ移動させることができるため、使用すると、指先で圧迫するマッサージと同じように、マッサージの時に前立腺を保護し、過度の圧迫や硬すぎて傷つけることがない。また、前記マッサージ本体１０は若干球体状を呈し、硬い材質（例えば、プラスチックや金屬）からなる。マッサージ本体１０底部の直径は４センチであり、マッサージ本体１０の全体の高さは５センチである。前記凸ブロック１１は、マッサージ本体１０の頂端から１センチ突出し且つマッサージ本体１０は台座２０にネジで固定される。前記台座２０は、若干円盤状を呈し、その直径は１２センチで、厚さは０．５センチである。また、前記台座２０は、プラスチック或いは金属といった硬い材質からなる。
【００１４】
図５を参照する。図５は、本考案の使用状態図である。本考案の前立腺マッサージ器１を使用する時、使用者は、前記前立腺マッサージ器１を椅子５０や地面に置き、前記マッサージ本体１０の凸ブロック１１を人体の肛門４１及び陰嚢の間（即ち、会陰）の位置にあてて、全身の重量を前記マッサージ本体１０にかける。それにより、前記凸ブロック１１は、人体４０における肛門４１に近い位置にあたり、前立腺を直接圧迫する。もし、それにあわせて腰を少し動かすと、さらにより良いマッサージ効果が生じる。使用時間は、毎日朝晩一回、一回につき５〜１０分行う。使い始めは前立腺を圧迫してマッサージすると痛みが生じるが、前立腺の鬱血が通ると痛くなくなり、膨張する感覚も消える。そして、毛細血管の流れがよくなると、つまって腫れあがることがなくなり、小便もスムーズになる。そして、小便がスムーズになると、液体の貯蔵量も増加する。長期間持続的に使用すると、前立腺検査のときに、前立腺が大きくなってないこと、さらには縮小している場合もある。長く使用することで、性機能も徐々に回復させることができる。
【符号の説明】
【００１５】
１    前立腺マッサージ器
１０  マッサージ本体
２０  台座
１１  凸ブロック
３０  軟質カバー部材
３１  開口
３２  透孔
４０  人体
４１  肛門
５０  椅子
【図１】
0003210038.tif 000003
【図２】
0003210038.tif 000004
【図３】
0003210038.tif 000005
【図４】
0003210038.tif 000006
【図５】
0003210038.tif 000007